(57)【要約】      （修正有）【課題】 雑草を根から引き抜く草取り具において、動力によって簡単かつ確実に作業をすることができる草取り具を提供する。【解決手段】 本発明に係る草取り具は、刈払機のようにエンジンやモータによって回転駆動される駆動軸に装着して使用する。回転駆動される環状刃１を主体部とし、環状刃１の半径方向にすくい刃３を、別の半径方向に半径方向を回転中心として自由に回転するピンローラ４を配置する。ピンローラ４の外周面にピン６を突出させ、環状刃１の回転中心に下方に突出するセンターピン７を設ける。センターピン７を、雑草が生えている地面の所望位置に支持させて、環状刃１全体を下方に押し出すとセンターピン７が土中に侵入し、ピンローラ４のピン６が地面に接触し、かたい地面をほぐす。ピン６によってほぐされた地面はすくい刃３によって掘り起こされ、土と雑草の根をすくい取る。このとき、横へ延びている根は環状刃１によって切断される。【選択図】  図１
2006333752.tif 000002
【特許請求の範囲】
【請求項１】
回転駆動される環状刃の半径方向にすくい刃を、別の半径方向に半径方向を回転中心として自由に回転し、外周面にピンを突出させたピンローラを配置するとともに、環状刃の回転中心に下方に突出するセンターピンを設けたことを特徴とする草取り具。
【請求項２】
環状刃の刃先とすくい刃の刃先位置がほぼ同じ高さであって、ピンローラに突出させたピンは、その先端が回転の下方位置において、前記すくい刃の先端よりも下方に突出し、センターピンが最も下方に突出する請求項１記載の草取り具。
【請求項３】
環状刃は円筒状の環状刃本体の先端部を刃先とし、該刃先は環状に連続するものではなく一定ピッチごとに複数の刃部を形成したことを特徴とする請求項１又は２記載の草取り具。
【発明の詳細な説明】
【技術分野】
【０００１】
本発明は、刈払機の先端などに装着し、雑草の根を残さず引き抜いて取り除くために利用する草取り具に関する発明である。
【背景技術】
【０００２】
雑草は、地上部を刈取るだけではすぐに成長するため、雑草を完全に取り除くためには、根を残さずに取り除く必要がある。従来、広い範囲全体の除草や草引きを行うには除草剤などの薬品を利用するほか、大掛かりな管理機やカルチベータなどを利用している。しかしながら、耕作地などで部分的に雑草を根から取り除くためには、移植ごてやテコ式の草取り具を用いて、あるいは手指で一本ずつ取り除くのが一般的な方法であった。このように、雑草を一本ずつ手作業で取り除くのは非常に手間がかかるため、特許文献１ないし３のように、動力的な手段によって雑草を取り除くものも工夫されている。
【０００３】
特許文献１に開示されている電動草取り機は、回転軸の先端に翼状の切り刃を設けておき、雑草を粉々にくだいて取り除くもの、特許文献２に開示される装置は、回転する除草盤の下方に刃を突出させておき地面をかきとるようにして雑草を取り除くもの、特許文献３に開示されている草取り機は、主として水田の草取りに利用するために、支柱の先端にフロート板を設け、フロート板の接地面側に回転駆動される草取刃を設けたものである。
【特許文献１】特開平８−１０号公報
【特許文献２】特開昭６３−２１９３１１号公報
【特許文献３】特開昭５６−３２９４５号公報
【発明の開示】
【発明が解決しようとする課題】
【０００４】
特許文献１や２に開示される草取り機は、いずれも回転駆動される切り刃によって地面を攪拌して雑草の根を取り除くものであるため、雑草の断片や土が四方に飛散し、雑草の根などを回収できない欠点がある。また、雑草が生育する地表面の状況は千差万別であって、乾燥したかたい地面では、大きな回転駆動力が必要であって、現実に作業が困難であるとともに切り刃が、簡単に摩滅してしまう欠点があった。
上記従来技術の欠点に鑑み、本発明は作業が容易であって、雑草を根から確実に取り除いて回収し、雑草や土を周囲に飛散させない草取り具を実現することを目的とするものである。
【課題を解決するための手段】
【０００５】
上記目的を達成するため、本発明に係る草取り具では、回転駆動される環状刃１を用いる。そして、環状刃１の半径方向にすくい刃３を、別の半径方向に半径方向を回転中心として自由に回転し、外周面にピン６を突出させたピンローラ４を配置する。また、環状刃１の回転中心には下方に突出するセンターピン７を設ける。
【０００６】
環状刃１の刃先とすくい刃３の刃先位置はほぼ同じ高さとし、ピンローラ４に突出させたピン６は、その先端が回転の下方位置において、すくい刃３の先端よりも下方に突出し、センターピン７が最も下方に突出する態様とするのが好ましい。また、環状刃１は円筒状の環状刃本体の先端部を刃先とし、この刃先は環状に連続するものではなく一定ピッチごとに複数の刃部８を形成することによって、環状刃１によって切り込みを行う場合の作業性が向上する。
【発明の効果】
【０００７】
請求項１記載の本発明草取り具によれば、回転駆動される環状刃１による作業位置をセンターピン７によって正確に位置決めし、環状刃１の内方の草を確実に取り除くことができる。すなわち、センターピン７によって位置決めされた環状刃１を先方に押し出して行くと、環状刃１によって円形の作業範囲が特定される。このとき、ピンローラ４のピン６によってかたい地面を掘り起こして柔らかくし、雑草の根も緩める。この柔らかくされた地面を、すくい刃３によって、環状刃１の内方の土をすくい取ることによって雑草の根が確実に引き抜かれる。引き抜かれた雑草の根やすくい取られた土は、環状刃１の内方に留まり、周囲に飛散することがない。そして、すくい刃３がかたい地面をすくうのを回避するため、それだけすくい刃３の摩滅を回避し、雑草の根をより確実に引き抜くことができる。
【０００８】
請求項２記載の発明によれば、ピンローラ４のピン６によるかたい土の掘り起こしが確実に行われ、請求項１記載の発明の効果を確実なものとすることができる。
【０００９】
請求項３記載の発明によれば、草取りの領域を区画する環状刃１による切込みを、効果的かつ確実に行うことができる。
【発明を実施するための最良の形態】
【００１０】
以下、本発明に係る草取り具の、好ましい実施形態を添付の図面に基づいて説明する。
図１は草取り具の下方斜視図、図２は草取り具の縦断面図、図３は草取り具の底面図、図４は使用状態を示す側面図である。
【００１１】
本発明に係る草取り具は、刈払機のようにエンジンやモータによって回転駆動される駆動軸に装着して使用する。したがって、環状刃１を主体部分とする草取り具は、駆動軸に装着するためのシャンク２を備えている。すなわち、シャンク２の先端部分に円筒状の環状刃１を固定し、環状刃１の内方部分にすくい刃３とピンローラ４を装着する。円筒状の環状刃１をシャンク２の先端部に固定するには、環状刃１の半径方向に配置したすくい刃３の一端を環状刃１の内面に、他端をシャンク２にそれぞれ溶接によって固定するとともに、すくい刃３とは別の半径方向に支持軸５を配置し、支持軸５の一端を環状刃１の内面に、他端をシャンク２の先端部に固定する。
【００１２】
支持軸５にはピンローラ４を回転自在に装着する。すなわち、円柱状のピンローラ４の外表面に複数のピン６，６を植設しておく。ピンローラ４の外表面に植設するピン６の長さは、回転の下方位置において、先端が環状刃１の先端よりも下方に突出するようにしておく。また、シャンク２の先端には、最も大きく下方に突出するセンターピン７が配置してある。図示実施形態においては、環状刃１の内方に一つのすくい刃３と一本の支持軸５を直径方向に配置しているが、複数のすくい刃３及び/又は支持軸５を放射方向に配置することもできる。このとき、支持軸５はピンローラ４の支持軸とするだけでなく、環状刃１の支持構造としての支持軸を配置することができる。環状刃１の直径は特に限定されるものではないが、前記放射方向に支持軸を配置する構造は、環状刃１をある程度大きな直径とする場合に、環状刃１とシャンク２を安定よく固定する上において有効である。
【００１３】
円筒状に形成する環状刃１の先端は、地表面を区画する如く切り込むための掘削刃となる。すなわち、一定の厚みである鋼材の外周端もしくは内周端を研磨することによって、環状に連続する刃先とすることができるが、環状に連続する刃先の場合は地表面を掘削する効果が少ない。図示実施形態においては、環状刃１の先端部に、一定ピッチごとに上方に向けて切込み９，９を設けている。これにより、環状刃１の先端に複数の刃部８，８が一定ピッチで形成され、円筒状の掘削刃として機能するように工夫している。なお、円筒状の環状刃１の先端面に、一定ピッチでチップを突出させて耐磨耗性に優れたものとすることもできる。
【００１４】
上記構造の本発明に係る草取り具は、モータやエンジンによって回転駆動される駆動軸に装着して使用する。具体的には、図４に示すように支持杆11の基端にモータ10もしくはエンジンといった回転駆動手段を備え、ハンドル12を持って操作する草刈機、刈払機のヘッド13に装着して利用することができる。勿論、回転駆動手段を備えた専用の草取り機として実施することもできる。
【００１５】
本発明に係る草取り具を使用するには、図２に示すように、回転駆動されている環状刃１のセンターピン７を、雑草が生えている地面の所望位置に支持させて、環状刃１全体を下方に押し出す。センターピン７が土中に侵入していくと、ピンローラ４のピン６が地面に接触し、かたい地面をほぐす。すなわち、ピンローラ４自体は環状刃１とともに回転しているため、地面14を円形軌跡で転がるように作用する。ピンローラ４が地面14を転がると、図５に示すように、ａ位置においてピンローラの表面に突出させているピン６が斜め方向に地面に接し、地面に対して斜めから垂直方向に姿勢を変えながらｂ位置のように地面に押し込まれ、逆方向の傾斜に変位しながらｃ位置において地面から抜け出る。したがって、攪拌翼による掘削のように地面を強制的に掘り上げるものではなく、地面を柔らかくほぐすように作用する。
【００１６】
ピン６によって柔らかくほぐされた地面は別位置のすくい刃によって掘り起こされ、雑草Ａの根と土をすくい取り分離させる。雑草の根が、広い範囲に広がっている場合は、環状刃１によって横へ延びている根が切断される。横方向に延びている雑草の根を切断することによって遠方まで張っている根の力を断ち切り、環状刃１の内方部分の根が、比較的小さな力で確実に除去される。一方で環状刃１は、必要以上に地中深く押し込まれることがない。すなわち、環状刃１の内部において半径方向に配置されるピンローラ４が地中侵入のストッパーとして機能し、必要以上に深く土を崩さないとともに回転手段の過負荷を防止することになる。
【００１７】
環状刃１によって、雑草の根を切断し、雑草を除去する範囲を限定することは、草取り作業中に取り除いた草が回転部分に巻き付く可能性を少なくするとともに、耕作地において作物と作物の間の雑草を草取りするような場合に、作物が植わっている地面の土を崩す弊害を無くし、作物に悪影響を及ぼさないばかりでなく、作物から少し離れた特定の位置の土をほぐし、作物の生長を助けることができるという実益を有する。
【００１８】
なお、すくい刃３によって掘り起こされた雑草の根は、周囲に飛散することなく環状刃１の内方に留まるため、草取り具全体を作業位置から持ち上げることによって、その表面に残っている、引き抜かれた雑草を拾うことによって容易に回収することができる。
【図面の簡単な説明】
【００１９】
【図１】図１は、草取り具の下方斜視図、
【図２】図２は、草取り具の縦断面図、
【図３】図３は、草取り具の底面図、
【図４】図４は、刈払機などに装着して使用する状態を示す側面図、
【図５】図５は、ピンローラの動きを示す略図。
【符号の説明】
【００２０】
１…環状刃、  ２…シャンク、  ３…すくい刃、  ４…ピンローラ、  ５…支持軸、  ６…ピン、  ７…センターピン、  ８…刃部、  ９…切り込み、  10…モータ、  11…支持杆、  12…ハンドル、  13…ヘッド、  14…地面、  Ａ…雑草。
【図１】
2006333752.tif 000003
【図２】
2006333752.tif 000004
【図３】
2006333752.tif 000005
【図４】
2006333752.tif 000006
【図５】
2006333752.tif 000007